(57)【特許請求の範囲】
【請求項１】
ディスク形状の記録媒体がセットされ、情報の処理を行う情報処理装置において、
前記記録媒体を回転させるターンテーブルを少なくとも備えた本体部と、
前記本体部に対して開閉可能に取り付けられ、前記記録媒体の挿入・排出口が設けられると共に、前記記録媒体を保持し、前記記録媒体の挿入経路を形成し得るガイド部が設けられたフレームを有する蓋部と、
前記ターンテーブルの位置に合わせて前記蓋部の前記フレームに回転可能に取り付けられ、前記記録媒体の中心に嵌って位置を規制するクランプ部を有し、前記蓋部を閉じた際、前記ターンテーブルとの間に前記記録媒体を挟持する回転可能な記録媒体保持手段と、
前記蓋部の開く量を規制して、該蓋部の開閉を行う開閉手段と、
前記蓋部を開くことで前記挿入・排出口が露呈すると、前記ガイド部にガイドされて挿入経路を挿入される前記記録媒体の挿入方向奥側の前記クランプ部が前記記録媒体の中心に嵌る位置で、前記記録媒体保持手段の前記挿入・排出口と対向する側が前記記録媒体の挿入経路から退避する方向に、前記記録媒体保持手段を傾斜させる姿勢規制手段と
を備えたことを特徴とする情報処理装置。
【請求項２】
前記挿入・排出口から挿入される前記記録媒体に接触して、前記蓋部内に取り込む方向の力を加えるとともに、前記挿入・排出口から排出される前記記録媒体に接触して、前記蓋部から排出する方向の力を加える取込・排出手段を備え、
前記姿勢規制手段は前記蓋部の開閉で変位し、前記蓋部を閉めたときに、前記取込・排出手段を前記記録媒体との非接触位置に退避させる位置規制手段として機能する
ことを特徴とする請求項１記載の情報処理装置。
【請求項３】
前記取込・排出手段は、前記記録媒体の縁部と接触する一対のガイドローラおよび前記ガイドローラを互いが接近する方向に付勢する付勢手段を備え、
前記姿勢規制手段は、前記蓋部を閉めたときは、前記一対のガイドローラの位置を前記記録媒体に対する非接触位置まで移動させ、前記蓋部を開けたときは、前記一対のガイドローラの間隔を、前記蓋部を閉めたときより狭くする位置規制手段として機能する
ことを特徴とする請求項２記載の情報処理装置。
【請求項４】
前記姿勢規制手段は、
付勢力を受けて移動するスライダーと、
前記蓋部の開閉に応じて前記スライダーの位置を誘導するカム面とを備え、
前記スライダーの移動で前記記録媒体保持手段を傾斜させる
ことを特徴とする請求項１、２または３記載の情報処理装置。
【請求項５】
前記姿勢規制手段の前記カム面は、閉じた状態の前記蓋部に対して閉じる方向の力を加えるとともに、開いた状態の前記蓋部を開いた状態で保持する形状を持ち、
前記姿勢規制手段および閉じた状態の前記蓋部を前記姿勢規制手段が保持する位置まで押し上げる持ち上げ手段とにより前記開閉手段を構成した
ことを特徴とする請求項４記載の情報処理装置。
【請求項６】
前記スライダーの移動を、前記記録媒体保持手段を傾斜させる方向の力に変化させる伝達手段を備えた
ことを特徴とする請求項４記載の情報処理装置。
【発明の詳細な説明】
【０００１】
【発明の属する技術分野】
本発明は、ディスク形状の記録媒体に対して情報の処理を行う情報処理装置に関する。詳しくは、本体部に対して開く量を規制した蓋部を設け、蓋部を開くことで形成される挿入・排出口から記録媒体の出し入れを行うとともに、蓋部内で記録媒体を保持する記録媒体保持手段を、蓋部を開けたときは記録媒体の挿入経路から退避させることで、記録媒体の挿入時の障害の発生を防ぐものである。
【０００２】
【従来の技術】
ディスク形状の記録媒体としてのＣＤ（コンパクトディスク）がセットされ、音楽の再生が行える情報処理装置が存在する。特に、持ち運びが可能な情報処理装置として、いわゆるポータブルＣＤプレーヤーと呼ばれるものが存在する。
従来のポータブルＣＤプレーヤーは、本体部に対して開閉可能な蓋部が設けられ、蓋部を大きく、例えば９０度近くまで開けて本体部に対して人手によりＣＤの着脱を行っていた。
【０００３】
これに対して、本体部と蓋部を一体とし、装置側面に設けた挿入・排出口よりＣＤを水平方向に挿抜するタイプのポータブルＣＤプレーヤーも存在する。このＣＤを水平方向に挿抜するタイプのポータブルＣＤプレーヤーでは、ＣＤをターンテーブルにセットするため、ＣＤあるいはターンテーブルを昇降させる機構が必要である。
【０００４】
【発明が解決しようとする課題】
蓋部を大きく開けてＣＤの着脱を行うポータブルＣＤプレーヤーでは、利用者が例えば立った姿勢でＣＤの入れ替えを行う場合等の操作性が悪いという問題がある。
また、ＣＤを水平方向に挿抜するタイプのポータブルＣＤプレーヤーでは、ＣＤあるいはターンテーブルを昇降させる機構が必要であり、ＣＤあるいはターンテーブルが昇降するためのスペースが必要となるので、装置が厚くなるという問題がある。
【０００５】
そこで、ディスク形状の記録媒体をパッケージに収納したＭＤ（ミニディスク）がセットされるポータブルＭＤプレーヤーの構造をポータブルＣＤプレーヤーに適用して装置の薄型化を図ることが考えられる。しかしながら、ポータブルＭＤプレーヤーではパッケージを持たないＣＤを扱う機構については当然考えられていないので、ポータブルＭＤプレーヤーの構造をそのままポータブルＣＤプレーヤーに適用したのでは、ＣＤに傷を付けてしまう等の問題があり、ポータブルＭＤプレーヤーの構造をポータブルＣＤプレーヤーに適用して装置の薄型化を図ることはできなかった。
【０００６】
本発明は、このような課題を解決するためになされたもので、ディスク形状の記録媒体を傷めることなく取り扱うことが可能な薄型の情報処理装置を提供することを目的とする。
【０００７】
【課題を解決するための手段】
ディスク形状の記録媒体がセットされ、情報の処理を行う情報処理装置において、記録媒体を回転させるターンテーブルを少なくとも備えた本体部と、本体部に対して開閉可能に取り付けられ、記録媒体の挿入・排出口が設けられると共に、記録媒体を保持し、記録媒体の挿入経路を形成し得るガイド部が設けられたフレームを有する蓋部と、ターンテーブルの位置に合わせて蓋部のフレームに回転可能に取り付けられ、記録媒体の中心に嵌って位置を規制するクランプ部を有し、蓋部を閉じた際、ターンテーブルとの間に記録媒体を挟持する回転可能な記録媒体保持手段と、蓋部の開く量を規制して、該蓋部の開閉を行う開閉手段と、蓋部を開くことで挿入・排出口が露呈すると、ガイド部にガイドされて挿入経路を挿入される記録媒体の挿入方向奥側のクランプ部が記録媒体の中心に嵌る位置で、記録媒体保持手段の挿入・排出口と対向する側が記録媒体の挿入経路から退避する方向に、記録媒体保持手段を傾斜させる姿勢規制手段とを備えたものである。
【０００８】
本発明に係る情報処理装置では、開閉手段により蓋部は開く量を規制して本体部に対して開く。蓋部が所定量開くと、挿入・排出口が現れ、この挿入・排出口から記録媒体が挿入される。このとき、記録媒体保持手段は傾斜して挿入・排出口と対向する側が記録媒体の挿入経路から退避した状態で、蓋部内で記録媒体を保持する。そして、蓋部を閉じると、記録媒体保持手段は水平な状態となり、記録媒体を本体部のターンテーブルに取り付ける。
【０００９】
これにより、記録媒体を挿入・排出口から挿入する際、記録媒体の挿入方向先端が記録媒体保持手段と衝突することがなく、記録媒体に傷を付ける等の障害の発生を防ぐことができる。そして、蓋部側で記録媒体を保持し、蓋部の開閉で記録媒体をターンテーブルにセットできるので、装置を薄型にできる。
【００１０】
【発明の実施の形態】
以下、図面を参照して本発明の情報処理装置の実施の形態を説明する。図１は本実施の形態の情報処理装置の側断面図で、図１（ａ）は本体部２に対して蓋部３を閉じた状態、図１（ｂ）は本体部２に対して蓋部３を開いた状態を示す。本実施の形態の情報処理装置１は、本体部２に対して蓋部３をヒンジ部４を支点に開閉可能とし、図１（ｂ）に示すように蓋部３を開けたとき、本体部２と蓋部３の間に形成される隙間を記録媒体としてのＣＤ５の挿入・排出口６とする。そして、蓋部３内でＣＤ５を保持するクランパ２１を蓋部３を開けたときは傾斜させることで、ＣＤ５との衝突を防ぐものである。
【００１１】
図２は本体部２の内部構成を示す平面図、図３は本体部２の内部構成を示す斜視図であり、まず、本体部２の構成を説明する。本体部２を構成する筐体７には、図１に示す蓋部３を開けるための開閉手段を構成する持ち上げ手段として、操作ノブ８、リンク９およびロックレバー１０が設けられる。操作ノブ８は、筐体７の側部に矢印ａ方向にスライド移動可能に取り付けられる。この操作ノブ８にはリンク９に動作を伝達するためのカム面８ａと、図１に示す蓋部３を持ち上げる山型の突起部８ｂが設けられる。
【００１２】
リンク９は、一方の端部側が筐体７に軸９ａを支点に回転可能に取り付けられる。このリンク９の他方の端部側にはピン９ｂが設けられ、このピン９ｂが操作ノブ８のカム面８ａに当接する。また、リンク９の軸９ａとピン９ｂの間にはガイドピン９ｃが設けられる。なお、ピン９ｂはリンク９の一の面、ここでは下面に突出形成され、ガイドピン９ｃはリンク９の上面に突出形成される。また、リンク９にはカム穴９ｄが設けられる。そして、このリンク９は、図示しないバネにより軸９ａを支点に時計回りである矢印ｂ１方向に回転する力を受けている。
【００１３】
ロックレバー１０は筐体７に軸１０ａを支点に回転可能に取り付けられる。このロックレバー１０の、軸１０ａを挟んで一方の端部側にはガイド穴１０ｂが設けられ、他方の端部側には図１に示す蓋部３を持ち上げる斜面を有する突起部１０ｃが設けられる。また、ロックレバー１０の、図１に示す挿入・排出口６の近傍には鉤状の爪部１０ｄが設けられる。
【００１４】
このガイド穴１０ｂにはリンク９のガイドピン９ｃが挿入され、リンク９の軸９ａを支点とした回転がガイドピン９ｃとガイド穴１０ｂによってロックレバー１０に伝達される。すなわち、リンク９が軸９ａを支点に反時計回りである矢印ｂ２方向に回転すると、ロックレバー１０も軸１０ａを支点に反時計回りである矢印ｃ２方向に回転する。また、リンク９が軸９ａを支点に時計回りである矢印ｂ１方向に回転すると、ロックレバー１０も軸１０ａを支点に時計回りである矢印ｃ１方向に回転する。
【００１５】
さて、リンク９は操作ノブ８のスライド移動により回転するものであり、操作ノブ８を矢印ａ方向に移動させると、カム面８ａがピン９ｂを押すことで、リンク９は矢印ｂ２方向に回転する。これにより、操作ノブ８の移動で突起部８ｂが矢印ａ方向に移動すると、ロックレバー１０に設けた突起部１０ｃは矢印ｄ方向に移動する。
【００１６】
リンク９は、操作ノブ８の動作をロックレバー１０へ伝達する機能に加え、図１に示すＣＤ５にブレーキを掛けるブレーキ手段としてのブレーキレバー１１を動作させる機能を持つ。
【００１７】
ブレーキレバー１１は筐体７に軸１１ａを支点に回転可能に取り付けられている。このブレーキレバー１１の下面にはガイドピン１１ｂが設けられ、このガイドピン１１ｂがリンク９のカム穴９ｄに挿入される。これにより、リンク９が軸９ａを支点として回転することで、カム穴９ｄの形状に沿ってガイドピン１１ｂの位置が変位し、ブレーキレバー１１は軸１１ａを支点に回転する。そして、リンク９の一方向（矢印ｂ２方向）への所定量の回転の間に、ブレーキレバー１１の位置はブレーキオフ、ブレーキオン、再度ブレーキオフへと変化する。なお、ブレーキレバー１１には後述するようにパッド１１ｃ（図１６等に図示）が設けられ、このパッド１１ｃが図１に示すＣＤ５の縁部と接触してＣＤ５の回転にブレーキを掛ける。
【００１８】
筐体７には、図１に示すＣＤ５の挿入を誘導するガイド機構を構成するガイドレバー１２が設けられる。このガイドレバー１２には、ＣＤ５が接触した場合に傷を付けないようにローラ１２ａが設けられる。また、筐体７には、ガイドレバー１２を作動させる押し込みレバー１３が設けられ、図１に示す蓋部３を閉める動作で、ガイドレバー１２を退避させる。
【００１９】
なお、筐体７内において、ロックレバー１０と、ガイドレバー１２および押し込みレバー１３を設ける位置が重なるので、ロックレバー１０には、ガイドレバー１２および押し込みレバー１３を退避する開口部１０ｅが設けられる。このガイドレバー１２および押し込みレバー１３の詳細は後述する。
【００２０】
筐体７にはドライブユニット１４が設けられる。このドライブユニット１４はＣＤ５を回転させるターンテーブル１５、このターンテーブル１５を駆動する図示しないモータ機構、ＣＤ５を光学的に読み取るピックアップ１６、このピックアップ１６を移動させる図示しない機構等を備える。このターンテーブル１５の上面中央にはリング状の永久磁石１５ａが露出して設けられる。
【００２１】
筐体７の両側部にはカム面７ａが設けられる。図４はカム面７ａの詳細を示す破断斜視図で、図１に示す挿入・排出口６が設けられる側を正面側としたとき、図４（ａ）は本体部２を正面から見て筐体７の左側の壁部７Ｌを内側から見た斜視図、図４（ｂ）は筐体７の右側の壁部７Ｒを内側から見た斜視図である。
【００２２】
カム面７ａは、筐体７の対向する壁部７Ｌと壁部７Ｒのそれぞれに設けられ、筐体７の底面側である下端側には誘導斜面７ｂが形成されるとともに、この誘導斜面７ｂから連続して上端側には保持部７ｃが形成される。誘導斜面７ｂは、下端から上方の向かうに従い、本体部２の正面側から奥方へと傾斜している斜面である。また、保持部７ｃは正面側に凸となっている略半円形状のＲ面である。そして、誘導斜面７ｂと保持部７ｃは壁部７Ｌおよび壁部７Ｒの面から垂直に立ち上がっている。
【００２３】
図５は蓋部３の内部構成を示す平面図、図６は蓋部３の内部構成を示す斜視図であり、次に蓋部３の構成を説明する。蓋部３を構成する筐体１７には、図１に示すＣＤ５の取り込みおよび排出を誘導する取込・排出手段としての取込・排出アーム１８Ｌ，１８Ｒと、蓋部３を閉状態および開状態の両方の状態で保持する開閉手段を構成する蓋部姿勢保持手段および取込・排出アーム１８Ｌ，１８Ｒの位置を規制する位置規制手段としてのスライダー１９Ｌ，１９Ｒと、ＣＤ５のイジェクトを行うイジェクト手段としてのイジェクトアーム２０と、ＣＤ５を保持する記録媒体保持手段としてのクランパ２１とが設けられる。なお、図５においては蓋部３の内部構造を説明するため筐体１７を２点鎖線で示している。ここで、スライダー１９Ｌはクランパ２１を傾斜させる姿勢規制手段としても機能する。
【００２４】
これら取込・排出アーム１８Ｌ，１８Ｒ、スライダー１９Ｌ，１９Ｒ、イジェクトアーム２０およびクランパ２１は、それぞれ図７に示すアッパーフレーム２２に取り付けられ、このアッパーフレーム２２が筐体１７に取り付けられる。
【００２５】
図７はこのアッパーフレーム２２の斜視図である。アッパーフレーム２２の両側部には、クランパ２１とともに図１に示すＣＤ５を保持する一対のガイド部２３Ｌ，２３Ｒが設けられる。ガイド部２３Ｌは正面側から見てＬ字型の断面形状を有し、このガイド部２３Ｌと対向するガイド部２３Ｒは正面側から見て逆Ｌ字型の断面形状を有する。
【００２６】
そして、ガイド部２３Ｌには、下方に向けて突出した突起部２４Ｌが設けられ、ガイド部２３Ｒにも下方に向けて突出した突起部２４Ｒが設けられる。なお、突起部２４Ｌは、図２および図３に示すロックレバー１０の突起部１０ｃにより押し上げられる。また、突起部２４Ｒは、図２および図３に示す操作ノブ８の突起部８ｂにより押し上げられる。
【００２７】
アッパーフレーム２２の正面側には、図１に示す挿入・排出口６を構成する一対の開口部２５Ｌ，２５Ｒが設けられる。開口部２５Ｌは正面側から見て逆コの字型の溝を有し、この開口部２５Ｌと対向する開口部２５Ｒは正面側から見てコの字型の溝を有する。この開口部２５Ｌの端部２５Ｌａから開口部２５Ｒの端部２５Ｒａまでの間隔は、図１に示すＣＤ５の直径より若干大きなものとする。また、アッパーフレーム２２の正面側には、図２および図３に示すロックレバー１０の爪部１０ｄが引っ掛かるロック部２２ｂが設けられる。
【００２８】
図５および図６に戻り、左右一対の取込・排出アーム１８Ｌ，１８Ｒは、図７に示すアッパーフレーム２２の上面に形成した図示しない取付部にスライド移動可能に取り付けられる。各取込・排出アーム１８Ｌ，１８Ｒの下面には、垂直方向に延在する軸を持つガイドローラ２６Ｌ，２６Ｒが設けられる。
【００２９】
これらガイドローラ２６Ｌ，２６Ｒを、図７に示すアッパーフレーム２２の下面側に露出させるため、アッパーフレーム２２には、ガイドローラ２６Ｌ，２６Ｒの移動範囲にあわせて穴部２７がそれぞれ設けられる。
【００３０】
さて、取込・排出アーム１８Ｌは図１に示すＣＤ５の挿抜方向と直交する矢印ｅ１および矢印ｅ２方向に移動可能で、取込・排出アーム１８ＲもＣＤ５の挿抜方向と直交する矢印ｆ１および矢印ｆ２方向に移動可能であり、ガイドローラ２６Ｌ，２６Ｒの間隔は接近あるいは離間する。なお、取込・排出アーム１８Ｌは、付勢手段である図示しないバネにより矢印ｅ２方向に移動する力を受け、取込・排出アーム１８Ｒは、図示しないバネにより矢印ｆ２方向に移動する力を受けており、ガイドローラ２６Ｌとガイドローラ２６Ｒが接近する方向の力を受けている。
【００３１】
取込・排出アーム１８Ｌには、その移動範囲を規制するため第１の位置決め部２８ａと第２の位置決め部２８ｂが設けられる。また、取込・排出アーム１８Ｒには、その移動範囲を規制するため第１の位置決め部２９ａと第２の位置決め部２９ｂが設けられる。
【００３２】
ここで、第１の位置決め部２８ａと第１の位置決め部２９ａが対向し、第２の位置決め部２８ｂと第２の位置決め部２９ｂが対向するように各部の形状が定められる。そして、第１の位置決め部２８ａと第１の位置決め部２９ａとの間隔が、第２の位置決め部２８ｂと第２の位置決め部２９ｂとの間隔より狭くなるようにしてある。
【００３３】
スライダー１９Ｌ，１９Ｒは、図７に示すアッパーフレーム２２の上面両側部で、各取込・排出アーム１８Ｌ，１８Ｒの後方にそれぞれスライド移動可能に取り付けられる。各スライダー１９Ｌ，１９ＲはＬ字型に折り曲げられた断面形状を有し、アッパーフレーム２２の両側部から突出するピン３０Ｌ，３０Ｒが設けられる。また、各スライダー１９Ｌ，１９Ｒは図１に示すＣＤ５の挿抜方向に沿った矢印ｇ１および矢印ｇ２方向に移動可能で、図示しないバネにより取込・排出アーム１８Ｌ，１８Ｒ方向である矢印ｇ１方向に移動する力を受けている。
【００３４】
これにより、各スライダー１９Ｌ，１９Ｒのピン３０Ｌ，３０Ｒは、それぞれ図４に示すカム面７ａに押し付けられ、カム面７ａの形状に沿ってピン３０Ｌ，３０Ｒが移動することで、蓋部３を閉じるとともに、スライダー１９Ｌ，１９Ｒがスライド移動する。
【００３５】
スライダー１９Ｌの前方側部には位置決め部３１Ｌが設けられ、スライダー１９Ｌの位置に応じて、この位置決め部３１Ｌが取込・排出アーム１８Ｌの第１の位置決め部２８ａあるいは第２の位置決め部２８ｂと当接することで、取込・排出アーム１８Ｌの位置を規制する。
【００３６】
また、スライダー１９Ｒの前方側部には位置決め部３１Ｒが設けられ、スライダー１９Ｒの位置に応じて、この位置決め部３１Ｒが取込・排出アーム１８Ｒの第１の位置決め部２９ａあるいは第２の位置決め部２９ｂと当接することで、取込・排出アーム１８Ｒの位置を規制する。
【００３７】
なお、スライダー１９Ｌの位置決め部３１Ｌが取込・排出アーム１８Ｌの第１の位置決め部２８ａと当接するときは、スライダー１９Ｒの位置決め部３１Ｒが取込・排出アーム１８Ｒの第１の位置決め部２９ａと当接する。また、位置決め部３１Ｌが第２の位置決め部２８ｂと当接するときは、位置決め部３１Ｒが第２の位置決め部２９ｂと当接する。この関係を満たすように、取込・排出アーム１８Ｌ，１８Ｒ、スライダー１９Ｌ，１９Ｒおよび図４に示すカム面７ａの形状が定められている。
【００３８】
イジェクトアーム２０はアッパーフレーム２２の上面に軸２０ａを支点に回転可能に取り付けられる。このイジェクトアーム２０の一方の端部には図１に示すＣＤ５を押し出す押し出し部２０ｂが設けられる。この押し出し部２０ｂはアッパーフレーム２２の下面側に露出する。また、イジェクトアーム２０のアッパーフレーム２２の側部に位置する部分には、図２および図３に示す操作ノブ８に押される伝達ピン２０ｃが設けられる。この伝達ピン２０ｃもアッパーフレーム２２の下面側に露出する。
【００３９】
クランパ２１は、図７に示すアッパーフレーム２２の下面側に回転可能に取り付けられる。クランパ２１は上面側に回転の中心となる軸２１ａが設けられ、この軸２１ａの上端には、軸２１ａより径の大きなフランジ部２１ｂが設けられる。また、クランパ２１は鉄製として、図３等に示すターンテーブル１５の永久磁石１５ａで吸着できるようにする。これにより、図１に示すＣＤ５は、ターンテーブル１５がクランパ２１を吸着することで、ターンテーブル１５とクランパ２１に挟まれて保持される。このため、ターンテーブル１５には、ＣＤ５を固着するチャッキング機構は設けていない。なお、クランパ２１に永久磁石を設け、ターンテーブル１５に鉄製のリング等を取り付ける構成でもよい。
【００４０】
図７に示すアッパーフレーム２２には、クランパ２１を支持する取付穴２２ａが設けられる。この取付穴２２ａは、クランパ２１の軸２１ａの径より広く、かつ、フランジ部２１ｂの径より狭い溝形状である。そして、図５および図６に示すフランジ部２１ｂが取付穴２２ａに引っ掛かることで、クランパ２１のアッパーフレーム２２からの落下が防止される。
【００４１】
このクランパ２１は、蓋部３が開いた状態では、蓋部３内において図１に示すＣＤ５の位置決めを行い、蓋部３が閉じたときに図２等に示すターンテーブル１５との間にＣＤ５を挟持して、ＣＤ５をターンテーブル１５に取り付けられるようにしてある。
【００４２】
さて、蓋部３を開けたときのスライダー１９Ｌの動作をクランパ２１に伝達して、クランパ２１を傾斜させる伝達手段としてリンク３２および退避バネ３３が設けられる。リンク３２は図７に示すアッパーフレーム２２の上面に軸３２ａを支点に回転可能に取り付けられる。このリンク３２の一方の端部には押圧部３２ｂが設けられるとともに、他方の端部にはピン３２ｃが設けられる。このピン３２ｃがスライダー１９Ｌの図示しない取付穴に回転可能に挿入されることで、スライダー１９Ｌの移動によりリンク３２は軸３２ａを支点に回転する。
【００４３】
退避バネ３３は一方の端部が図７に示すアッパーフレーム２２に固定され、他方の端部は自由端でクランパ押え部３３ａが形成される。図８はクランパ２１の保持構造の詳細を示す説明図で、図８（ａ）は要部平面図、図８（ｂ）は図８（ａ）のＡ−Ａ断面図である。クランパ押え部３３ａは、アッパーフレーム２２の取付穴２２ａに入り、クランパ押え部３３ａの先端は、フランジ部２１ｂより内側で、かつ軸２１ａに接しない位置にあり、アッパーフレーム２２からのクランパ２１の脱落および位置ずれを防ぐ機能を有する。
【００４４】
また、クランパ押え部３３ａは、アッパーフレーム２２の下面に露出し、蓋部３を開けたときにその露出量を変化させることで、挿入・排出口６側が持ち上がるようにクランパ２１を傾斜させる機能を有する。
【００４５】
図５および図６に戻り、退避バネ３３の途中には山型に折り曲げて形成した凸部３３ｂが形成される。この凸部３３ｂは、スライダー１９Ｌの移動によりリンク３２が軸３２ａを支点に回転する際の押圧部３２ｂの軌跡中に位置し、リンク３２の回転により押圧部３２ｂに押される。退避バネ３３は、凸部３３ｂが押されることで弾性変形し、図８（ｂ）に示すクランパ押え部３３ａのアッパーフレーム２２からの露出量が増える。これにより、クランパ押え部３３ａがクランパ２１を押して退避させる。
【００４６】
アッパーフレーム２２の開口部２５Ｌ，２５Ｒには制動手段としての制動アーム３４が設けられる。この制動アーム３４は、挿入あるいは排出途中のＣＤ５と接触する位置に設けられ、図５および図６に示す取込・排出アーム１８Ｌ，１８ＲでＣＤ５を排出する際、この制動アーム３４が抵抗となってＣＤ５の飛び出しを防止する。
【００４７】
次に、本実施の形態の情報処理装置１の動作を説明する。上述した図２および図５は蓋部３が閉じた状態を示す。蓋部３が閉じた状態では、操作ノブ８は図２示すホームポジションＨＰに位置する。図９は蓋部３の開閉と操作ノブ８の動作を示す説明図、図１０は蓋部３の開閉とロックレバー１０の動作を示す説明図である。図９（ａ）に示すように、操作ノブ８がホームポジションＨＰにあるときは、操作ノブ８の突起部８ｂはアッパーフレーム２２の突起部２４Ｒとは接触しない。また、操作ノブ８とイジェクトアーム２０の伝達ピン２０ｃは接触しない。
【００４８】
操作ノブ８とロックレバー１０はリンク９を介してつながっており、操作ノブ８がホームポジションＨＰにあるとき、ロックレバー１０は図２に示す位置にある。このとき、図１０（ａ）に示すように、ロックレバー１０の突起部１０ｃはアッパーフレーム２２の突起部２４Ｌとは接触しない。
【００４９】
図１１および図１２は蓋部３の開閉とスライダー１９Ｌ，１９Ｒの動作を示す説明図で、図１１は情報処理装置１を右（Ｒ）側から見た側断面図、図１２は左（Ｌ）側から見た側断面図である。図１１（ａ）および図１２（ａ）に示すように、蓋部３が閉じた状態では、スライダー１９Ｌ，１９Ｒは、ピン３０Ｌ，３０Ｒがそれぞれカム面７ａの誘導斜面７ｂに当接する位置にある。このときのスライダー１９Ｌ，１９Ｒの位置をフロントポジションＦＰとする。
【００５０】
スライダー１９Ｌ，１９ＲがフロントポジションＦＰにあると、図５に示すように、スライダー１９Ｌの位置決め部３１Ｌが取込・排出アーム１８Ｌの第１の位置決め部２８ａに当接する。また。スライダー１９Ｒの位置決め部３１Ｒが取込・排出アーム１８Ｒの第１の位置決め部２９ａに当接する。これにより、ガイドローラ２６Ｌ，２６Ｒの間隔は広くなっている。また、スライダー１９ＬがフロントポジションＦＰにあるとき、リンク３２の押圧部３２ｂは退避バネ３３の凸部３３ｂから退避した位置にある。
【００５１】
蓋部３を開けるときは、図９（ａ）に示すように操作ノブ８を矢印ａ方向に移動させる。操作ノブ８をホームポジションＨＰから矢印ａ方向に所定量移動させると、図９（ｂ）に示すように、操作ノブ８の突起部８ｂがアッパーフレーム２２の突起部２４Ｒに接触を開始する。この突起部８ｂが突起部２４Ｒに接触を開始したときの操作ノブ８の位置を持ち上げ開始ポジションＰ２とする。なお、操作ノブ８がホームポジションＨＰから持ち上げ開始ポジションＰ２に移動するまでの間に、図２に示すブレーキレバー１１を作動させる動作があるが、ブレーキレバー１１の動作は後述する。
【００５２】
図１３は操作ノブ８が持ち上げ開始ポジションＰ２にあるときの状態を示す平面図で、操作ノブ８で作動するリンク９、ロックレバー１０、ブレーキレバー１１およびイジェクトアーム２０の状態を示す。
【００５３】
操作ノブ８をホームポジションＨＰから持ち上げ開始ポジションＰ２に移動させると、操作ノブ８のカム面８ａがリンク９のピン９ｂを押す。これにより、リンク９は、軸９ａを支点に反時計回りである矢印ｂ２方向に回転する。リンク９が矢印ｂ２方向に回転すると、ガイドピン９ｃがロックレバー１０のガイド穴１０ｂを押す。これにより、ロックレバー１０は軸１０ａを支点に反時計回りである矢印ｃ２方向に回転する。ロックレバー１０が矢印ｃ２方向に回転すると、ロックレバー１０の突起部１０ｃは矢印ｄ方向に移動し、操作ノブ８が持ち上げ開始ポジションＰ２にくると、図１０（ｂ）に示すように、ロックレバー１０の突起部１０ｃがアッパーフレーム２２の突起部２４Ｌに接触を開始する。
【００５４】
また、ロックレバー１０が矢印ｃ２方向に回転することで、爪部１０ｄが図７に示すアッパーフレーム２２のロック部２２ｂから外れる。これにより、蓋部３の閉状態でのロックが解除される。
【００５５】
操作ノブ８を持ち上げ開始ポジションＰ２から矢印ａ方向に所定量移動させると、図９（ｃ）に示すように、操作ノブ８の突起部８ｂがアッパーフレーム２２の突起部２４Ｒを押し上げる。この突起部８ｂが突起部２４Ｒを押し上げたときの操作ノブ８の位置を持ち上げ終了ポジションＰ３とする。操作ノブ８が持ち上げ終了ポジションＰ３まで移動すると、操作ノブ８とイジェクトアーム２０の伝達ピン２０ｃが接触を開始する。
【００５６】
図１４は操作ノブ８が持ち上げ終了ポジションＰ３にあるときの状態を示す平面図で、操作ノブ８で作動するリンク９、ロックレバー１０、ブレーキレバー１１およびイジェクトアーム２０の状態を示す。
【００５７】
操作ノブ８を持ち上げ開始ポジションＰ２から持ち上げ終了ポジションＰ３に移動させると、操作ノブ８のカム面８ａがリンク９のピン９ｂをさらに押すことで、リンク９は、軸９ａを支点に矢印ｂ２方向にさらに回転する。リンク９が矢印ｂ２方向に回転すると、ガイドピン９ｃがロックレバー１０のガイド穴１０ｂをさらに押す。これにより、ロックレバー１０は軸１０ａを支点に矢印ｃ２方向にさらに回転する。これにより、ロックレバー１０の突起部１０ｃは矢印ｄ方向にさらに移動し、操作ノブ８が持ち上げ終了ポジションＰ３にくると、図１０（ｃ）に示すように、ロックレバー１０の突起部１０ｃがアッパーフレーム２２の突起部２４Ｌを押し上げる。
【００５８】
このように、操作ノブ８を持ち上げ開始ポジションＰ２から持ち上げ終了ポジションＰ３に移動させると、操作ノブ８の突起部８ｂの斜面でアッパーフレーム２２の突起部２４Ｒの斜面を押し上げることで、図９（ｃ）に示すように操作ノブ８の突起部８ｂでアッパーフレーム２２の突起部２４Ｒを持ち上げる。この操作ノブ８の移動で、同時に、ロックレバー１０の突起部１０ｃの斜面でアッパーフレーム２２の突起部２４Ｌの斜面を押し上げることで、図１０（ｃ）に示すようにロックレバー１０の突起部１０ｃでアッパーフレーム２２の突起部２４Ｌを持ち上げる。これにより、操作ノブ８の持ち上げ開始ポジションＰ２から持ち上げ終了ポジションＰ３までの移動により、ヒンジ部４を支点に蓋部３を開けることができる。
【００５９】
さて、蓋部３を開けると、図１１（ｂ）および図１２（ｂ）に示すように、スライダー１９Ｌ，１９Ｒの位置は、ピン３０Ｌ，３０Ｒがそれぞれカム面７ａの保持部７ｃに当接する位置に移動する。ここで、ピン３０Ｌ，３０Ｒの接触位置が誘導斜面７ｂから保持部７ｃへと移動する過程で、カム面７ａの形状から、スライダー１９Ｌ，１９Ｒは図示しないバネに抗してフロントポジションＦＰから矢印ｇ２方向に後退する。このピン３０Ｌ，３０Ｒがそれぞれカム面７ａの保持部７ｃに当接したときのスライダー１９Ｌ，１９Ｒの位置をリアポジションＲＰとする。
【００６０】
ここで、各カム面７ａの保持部７ｃは、それぞれ略半円形状のＲ面で、ピン３０Ｌ，３０Ｒの円周面と略合致する形状を有する。また、スライダー１９Ｌ，１９Ｒは、図示しないバネにより矢印ｇ１方向に押されており、ピン３０Ｌ，３０Ｒは、それぞれ保持部７ｃに矢印ｇ１方向の力を受けて押し付けられている。
【００６１】
これにより、ピン３０Ｌ，３０Ｒはそれぞれ保持部７ｃに引っ掛かり、蓋部３を閉じないようにするとともに、蓋部３の開く角度を規制する。このように、スライダー１９Ｌ，１９Ｒは、蓋部３を開いた状態で保持する機能を有する。
【００６２】
さて、図９（ｃ）に示すように持ち上げ終了ポジションＰ３まで移動した操作ノブ８から手を離すと、図示しないバネの力で操作ノブ８はホームポジションＨＰに戻る。これにより、操作ノブ８の突起部８ｂはアッパーフレーム２２の突起部２４Ｒから離れる。また、操作ノブ８がホームポジションＨＰに戻ることで、リンク９およびロックレバー１０が、図１４に示す位置から図示しないバネによりそれぞれ矢印ｂ１，ｃ１方向に回転することで、ロックレバー１０の突起部１０ｃはアッパーフレーム２２の突起部２４Ｌから離れる。しかしながら、蓋部３が開いた状態では、上述したように、ピン３０Ｌ，３０Ｒが保持部７ｃに押し付けられているので、操作ノブ８の突起部８ｂおよびロックレバー１０の突起部１０ｃによる保持が無くとも、蓋部３は開いた状態を保持する。なお、開いた蓋部３の状態の詳細は後述する。
【００６３】
このように、蓋部３が開くと、図１（ｂ）に示すように、本体部２と蓋部３との間に挿入・排出口６が形成される。この挿入・排出口６は、本体部２を構成する図２に示す筐体７と、蓋部３を構成する図７に示すアッパーフレーム２２とにより構成される。
【００６４】
この挿入・排出口６からのＣＤ５の挿抜動作は後述するが、上述したように蓋部３を開けると、ターンテーブル１５にＣＤ５がセットされている場合は、図７に示すガイド部２３Ｌ，２３ＲがＣＤ５をターンテーブル１５から持ち上げて、蓋部３側でＣＤ５を保持する。このターンテーブル１５はＣＤ５を固着するチャッキング機構を持たないので、ＣＤ５の縁部付近にガイド部２３Ｌ，２３Ｒで持ち上げる力を加えることで、ＣＤ５はターンテーブル１５から外れる。
【００６５】
蓋部３を開けた後、操作ノブ８を持ち上げ終了ポジションＰ３からさらに矢印ａ方向に所定量移動させると、図９（ｄ）に示すように、操作ノブ８の突起部８ｂがアッパーフレーム２２の突起部２４Ｒを通過し、イジェクトアーム２０の伝達ピン２０ｃを押し込む。この操作ノブ８がイジェクトアーム２０を押し込んだときの操作ノブ８の位置をイジェクト終了ポジションＰ４とする。
【００６６】
図１５は操作ノブ８がイジェクト終了ポジションＰ４にあるときの状態を示す平面図で、操作ノブ８で作動するリンク９、ロックレバー１０、ブレーキレバー１１およびイジェクトアーム２０の状態を示す。
【００６７】
操作ノブ８を持ち上げ終了ポジションＰ３からイジェクト終了ポジションＰ４に移動させると、操作ノブ８がイジェクトアーム２０の伝達ピン２０ｃを押す。これにより、イジェクトアーム２０は軸２０ａを支点に反時計回りである矢印ｈ２方向に回転する。これにより、図７に示すガイド部２３Ｌ，２３ＲでＣＤ５を保持している場合は、押し出し部２０ｂでＣＤ５を押し出す。
【００６８】
また、操作ノブ８を持ち上げ終了ポジションＰ３からイジェクト終了ポジションＰ４に移動させると、操作ノブ８に対するリンク９のピン９ｂの接触箇所がカム面８ａからスライド面８ｃに移行する。スライド面８ｃは操作ノブ８の移動方向に沿った面であるので、ピン９ｂの接触箇所がスライド面８ｃとなると、操作ノブ８の移動によらず、リンク９の姿勢は変化しない。これにより、ロックレバー１０の姿勢も変化しない。したがって、操作ノブ８を持ち上げ終了ポジションＰ３からイジェクト終了ポジションＰ４へ移動させると、操作ノブ８の突起部８ｂはアッパーフレーム２２の突起部２４Ｒから離れるが、図１０（ｄ）に示すように、ロックレバー１０の突起部１０ｃはアッパーフレーム２２の突起部２４Ｌを持ち上げた状態を保持する。
【００６９】
これにより、操作ノブ８がイジェクト終了ポジションＰ４にあるときは、蓋部３を閉めようとする外力が加わっても、ロックレバー１０の突起部１０ｃがアッパーフレーム２２の突起部２４Ｌを押えることで、蓋部３を開いた状態で保持する。
【００７０】
さて、図９（ｄ）に示すようにイジェクト終了ポジションＰ４まで移動した操作ノブ８から手を離すと、図示しないバネの力で操作ノブ８はホームポジションＨＰに戻る。これにより、上述したように、操作ノブ８の突起部８ｂはアッパーフレーム２２の突起部２４Ｒから離れるとともに、ロックレバー１０の突起部１０ｃはアッパーフレーム２２の突起部２４Ｌから離れる。また、操作ノブ８がイジェクトアーム２０の伝達ピン２０ｃから離れるので、イジェクトアーム２０は図１５に示す位置から図示しないバネの力で軸２０ａを支点に時計回りである矢印ｈ１方向に回転して退避する。このとき、図１１（ｂ）および図１２（ｂ）に示すようにピン３０Ｌ，３０Ｒが保持部７ｃに押し付けられているので、蓋部３は開いた状態を保持する。
【００７１】
次に、操作ノブ８の操作によるブレーキレバー１１の動作を説明する。図１６および図１７はブレーキレバー１１の動作を示す平面図である。リンク９に設けたカム穴９ｄは、図１６（ａ）に示すように、一方の端部から第１のブレーキオフポジションＢ−ｏｆｆ１、ブレーキオンポジションＢ−ｏｎ、第２のブレーキオフポジションＢ−ｏｆｆ２となっている。
【００７２】
そして、カム穴９ｄの形状は、カム穴９ｄの第１のブレーキオフポジションＢ−ｏｆｆ１から軸９ａまでの距離と、第２のブレーキオフポジションＢ−ｏｆｆ２から軸９ａまでの距離を略同じとし、カム穴９ｄのブレーキオンポジションＢ−ｏｎから軸９ａまでの距離を、各ブレーキオフポジションにおける距離より短くした形状となっている。また、第２のブレーキオフポジションＢ−ｏｆｆ２は、軸９ａを中心とした円弧の一部である。
【００７３】
操作ノブ８がホームポジションＨＰにあるときは、図１６（ａ）に示すように、ブレーキレバー１１のガイドピン１１ｂはカム穴９ｄの第１のブレーキオフポジションＢ−ｏｆｆ１に位置する。ガイドピン１１ｂが第１のブレーキオフポジションＢ−ｏｆｆ１に位置すると、図３等に示すターンテーブル１５にＣＤ５が保持されている場合、このＣＤ５の縁部にブレーキレバー１１のパッド１１ｃは接触しない。
【００７４】
蓋部３を開けるため、操作ノブ８をホームポジションＨＰから矢印ａ方向に所定量移動させると、図１６（ｂ）に示すように、操作ノブ８のカム面８ａがリンク９のピン９ｂを押す。これにより、リンク９は、軸９ａを支点に矢印ｂ２方向に回転する。リンク９が矢印ｂ２方向に回転すると、カム穴９ｄにおけるブレーキレバー１１のガイドピン１１ｂの位置は第１のブレーキオフポジションＢ−ｏｆｆ１からブレーキオンポジションＢ−ｏｎに移動する。これにより、ブレーキレバー１１は軸１１ａを支点に反時計回りである矢印ｉ２方向に回転する。
【００７５】
よって、ガイドピン１１ｂがブレーキオンポジションＢ−ｏｎに位置すると、ＣＤ５の縁部にブレーキレバー１１のパッド１１ｃが接触する。これにより、ＣＤ５の回転にブレーキを掛けることができる。このＣＤ５にブレーキを掛ける操作ノブ８の位置をブレーキポジションＰ１とする。このブレーキポジションＰ１は、図９で説明したホームポジションＨＰと持ち上げ開始ポジションＰ２の間に存在し、操作ノブ８がブレーキポジションＰ１に位置する場合は、蓋部３は閉じたままである。
【００７６】
操作ノブ８をブレーキポジションＰ１から持ち上げ開始ポジションＰ２に矢印ａ方向へ移動させると、図１７（ａ）に示すように、操作ノブ８のカム面８ａがリンク９のピン９ｂをさらに押す。これにより、リンク９は、軸９ａを支点に矢印ｂ２方向にさらに回転する。リンク９が矢印ｂ２方向にさらに回転すると、カム穴９ｄにおけるブレーキレバー１１のガイドピン１１ｂの位置はブレーキオンポジションＢ−ｏｎから第２のブレーキオフポジションＢ−ｏｆｆ２に移動する。これにより、ブレーキレバー１１は軸１１ａを支点に今度は時計回りである矢印ｉ１方向に回転する。
【００７７】
よって、ガイドピン１１ｂが第２のブレーキオフポジションＢ−ｏｆｆ２に位置すると、ブレーキレバー１１のパッド１１ｃはＣＤ５の縁部から離れる。操作ノブ８を持ち上げ開始ポジションＰ２に移動させると、図９等で説明したように、蓋部３の持ち上げが開始されるが、このとき、ブレーキレバー１１のパッド１１ｃはＣＤ５から離れており、蓋部３を開く際にブレーキレバー１１のパッド１１ｃがＣＤ５と接触して、ＣＤ５に傷を付ける等の障害が発生しない。
【００７８】
操作ノブ８を持ち上げ開始ポジションＰ２から持ち上げ終了ポジションＰ３に矢印ａ方向へ移動させると、図１７（ｂ）に示すように、操作ノブ８のカム面８ａがリンク９のピン９ｂをさらに押す。これにより、リンク９は、軸９ａを支点に矢印ｂ２方向にさらに回転する。リンク９が矢印ｂ２方向にさらに回転すると、ブレーキレバー１１のガイドピン１１ｂはカム穴９ｄの第２のブレーキオフポジションＢ−ｏｆｆ２内を移動する。これにより、ブレーキレバー１１は回転することなく姿勢を保持する。
【００７９】
よって、ブレーキレバー１１はパッド１１ｃがＣＤ５と接触しない状態を保持する。操作ノブ８を持ち上げ終了ポジションＰ３に移動させると、図９等で説明したように、蓋部３が持ち上げられるが、このとき、ブレーキレバー１１のパッド１１ｃはＣＤ５から離れており、蓋部３を開く際にブレーキレバー１１のパッド１１ｃがＣＤ５と接触して、ＣＤ５に傷を付ける等の障害が発生しない。
【００８０】
なお、操作ノブ８を持ち上げ終了ポジションＰ３からイジェクト終了ポジションＰ４に移動させる際は、図１５で説明したように、リンク９は回転しないので、ブレーキレバー１１の姿勢も変化しない。
【００８１】
以上のように、操作ノブ８がホームポジションＰ１にあるときは、ブレーキレバー１１はパッド１１ｃがＣＤ５と接触しない位置にある。これにより、ＣＤ５は回転することができる。蓋部３を開けるため、操作ノブ８を矢印ａ方向に移動させて行くと、操作ノブ８がブレーキポジションＰ１に位置した段階でブレーキレバー１１はパッド１１ｃがＣＤ５と接触する位置に移動し、ＣＤ５にブレーキを掛けることができる。これにより、例えば、ＣＤ５の演奏直後の回転が停止していないような状況で蓋部３を開けようとしても、蓋部３が開く動作の前に必ずブレーキレバー１１でブレーキを掛けることができ、ＣＤ５が回転している状態で蓋部３が開けられることはない。
【００８２】
操作ノブ８が持ち上げ開始ポジションＰ２に位置した段階でブレーキレバー１１はパッド１１ｃがＣＤ５から離れる位置に移動する。これにより、蓋部３を開け始める段階で、蓋部３により持ち上げられようとしているＣＤ５に本体部２側のブレーキレバー１１のパッド１１ｃが接触することはない。
【００８３】
そして、操作ノブ８が持ち上げ開始ポジションＰ２から持ち上げ終了ポジションＰ３に移動する間、ブレーキレバー１１はパッド１１ｃがＣＤ５と接触しない姿勢を保持するので、蓋部３とともに持ち上げられるＣＤ５に、本体部２側のブレーキレバー１１のパッド１１ｃが接触することはない。
【００８４】
次に、ＣＤ５の挿抜動作を説明する。図１８は開いた蓋部３の状態を示す平面図である。この図１８は、取込・排出アーム１８Ｌ，１８Ｒ、スライダー１９Ｌ，１９Ｒ、クランパ２１、リンク３２および退避バネ３３の状態を示す。
【００８５】
蓋部３が開くと、図１１（ｂ）および図１２（ｂ）で説明したように、スライダー１９Ｌ，１９ＲがリアポジションＲＰまで矢印ｇ２方向に移動する。スライダー１９Ｌ，１９ＲがリアポジションＲＰに移動すると、取込・排出アーム１８Ｌ，１８Ｒが図示しないバネでそれぞれ矢印ｅ２，矢印ｆ２方向に移動して、図１８に示すように、スライダー１９Ｌの位置決め部３１Ｌが取込・排出アーム１８Ｌの第２の位置決め部２８ｂに当接する。また。スライダー１９Ｒの位置決め部３１Ｒが取込・排出アーム１８Ｒの第２の位置決め部２９ｂに当接する。これにより、ガイドローラ２６Ｌ，２６Ｒの間隔は狭くなっている。
【００８６】
また、スライダー１９ＬがフロントポジションＦＰからリアポジションＲＰに移動すると、スライダー１９Ｌの図示しない取付穴がリンク３２のピン３２ｃを押し、リンク３２が軸３２ａを支点に時計回りである矢印ｊ１方向に回転する。これにより、リンク３２の押圧部３２ｂが退避バネ３３の凸部３３ｂを押す位置に移動する。
【００８７】
図１９および図２０はクランパ２１の動作を示す説明図で、図１９はクランパ２１を正面側から見た図、図２０はクランパ２１を側面側から見た図である。まず、蓋部３が閉じており、リンク３２の押圧部３２ｂが退避バネ３３の凸部３３ｂから離れているときは、図１９（ａ）および図２０（ａ）に示すように、退避バネ３３のクランパ押え部３３ａはクランパ２１とは接触しない。これにより、クランパ２１は自由に回転することができる。
【００８８】
蓋部３を開けることで、スライダー１９ＬがフロントポジションＦＰからリアポジションＲＰに移動し、リンク３２の押圧部３２ｂが退避バネ３３の凸部３３ｂを押すと、退避バネ３３は弾性変形し、クランパ押え部３３ａのアッパーフレーム２２からの露出量が増加して、クランパ押え部３３ａがクランパ２１を押す。これにより、図１９（ｂ）および図２０（ｂ）に示すように、クランパ２１は、クランパ押え部３３ａに押された側が下がり、正面から見て手前側が持ち上がる方向に傾斜する。よって、ＣＤ５を挿入する際、ＣＤ５の挿入方向の先端がクランパ２１に衝突することを防ぐ。
【００８９】
次に、蓋部３にＣＤ５を挿入する動作を説明する。図９および図１０で説明したように、操作ノブ８を操作して蓋部３を開けると、図１（ｂ）に示すように挿入・排出口６が現れるので、ＣＤ５を蓋部３内に挿入して行く。このとき、ＣＤ５の挿入方向は、本体部２に対しては斜め方向からとなる。
【００９０】
ここで、ＣＤ５を挿入するときは、操作ノブ８は図示しないバネの力でホームポジションＨＰに戻っているとする。これにより、操作ノブ８の突起部８ｂはアッパーフレーム２２の突起部２４Ｒから離れ、ロックレバー１０の突起部１０ｃはアッパーフレーム２２の突起部２４Ｌから離れた状態で、蓋部３は図１１および図１２に示すようにスライダー１９Ｌ，１９Ｒのピン３０Ｌ，３０Ｒがカム面７ａの保持部７ｃに押し付けられることで開いた状態を保持している。
【００９１】
図１８において蓋部３にＣＤ５を挿入して行くと、ＣＤ５の縁部が取込・排出アーム１８Ｌ，１８Ｒのガイドローラ２６Ｌ，２６Ｒに当接する。取込・排出アーム１８Ｌ，１８Ｒは、図示しないバネの力で互いが接近する矢印ｅ２，矢印ｆ２方向に移動する力を受けているが、ガイドローラ２６Ｌ，２６Ｒが挿入されるＣＤ５に押されることで、図示しないバネに抗して取込・排出アーム１８Ｌ，１８Ｒは二点鎖線で示す位置まで互いが離間する矢印ｅ１，矢印ｆ１方向に移動し、ガイドローラ２６Ｌ，２６Ｒの間隔が広がる。
【００９２】
ＣＤ５の直径部分がガイドローラ２６Ｌ，２６Ｒを過ぎると、図示しないバネの力で取込・排出アーム１８Ｌ，１８Ｒは互いが接近する矢印ｅ２，矢印ｆ２方向に移動しようとする。これにより、ガイドローラ２６Ｌ，２６Ｒの間隔が狭まることで、ＣＤ５にこれを内部に取り込む力を作用させる。よって、ＣＤ５を挿入して行くと、途中からはＣＤ５は取込・排出アーム１８Ｌ，１８Ｒによって自動的に取り込まれる。
【００９３】
取込・排出アーム１８Ｌ，１８ＲによってＣＤ５を取り込んで行く際、ＣＤ５の記録・読取面方向の位置は図７に示すガイド部２３Ｌ，２３Ｒによってガイドされる。そして、取込・排出アーム１８Ｌ，１８ＲによってＣＤ５を取り込んで行くと、ＣＤ５の中心がクランパ２１に到達する。クランパ２１は図２０（ｂ）に示すように、正面から見て手前側が持ち上がる方向に傾斜しているが、クランプ部２１ｃの後端側がＣＤ５の中心に嵌り、蓋部３内におけるＣＤ５の位置を規制する。
【００９４】
上述したように、図１８に示す蓋部３を開けた状態では、スライダー１９Ｌ，１９ＲがリアポジションＲＰに位置するので、図５に示す蓋部３を閉めた時より、ガイドローラ２６Ｌ，２６Ｒがより内側まで移動できるようになっている。よって、取込・排出アーム１８Ｌ，１８Ｒによって、ＣＤ５をクランパ２１で保持できる位置まで確実に取り込むことができる。
【００９５】
次に、ＣＤ５を排出する動作を説明する。図１５で説明したように、操作ノブ８をイジェクト終了ポジションＰ４まで移動させることで、イジェクトアーム２０を回転させ、ＣＤ５を排出する。このイジェクトアーム２０による排出過程で、ＣＤ５の縁部が取込・排出アーム１８Ｌ，１８Ｒのガイドローラ２６Ｌ，２６Ｒに当接する。取込・排出アーム１８Ｌ，１８Ｒは、図示しないバネの力で互いが接近する矢印ｅ２，矢印ｆ２方向に移動する力を受けているが、ガイドローラ２６Ｌ，２６Ｒがイジェクトアーム２０で排出されるＣＤ５に押されることで、図示しないバネに抗して取込・排出アーム１８Ｌ，１８Ｒは互いが離間する矢印ｅ１，矢印ｆ１方向に移動し、ガイドローラ２６Ｌ，２６Ｒの間隔が広がる。
【００９６】
ＣＤ５の直径部分がガイドローラ２６Ｌ，２６Ｒを過ぎると、図示しないバネの力で取込・排出アーム１８Ｌ，１８Ｒは互いが接近する矢印ｅ２，矢印ｆ２方向に移動しようとする。これにより、ガイドローラ２６Ｌ，２６Ｒの間隔が狭まることで、ＣＤ５にこれを外部に排出する力を作用させる。そして、図１５に示す位置までイジェクトアーム２０が回転したとき、ＣＤ５をその直径部分がガイドローラ２６Ｌ，２６Ｒを通過する位置まで排出できるようにすれば、イジェクトアーム２０で排出したＣＤ５を取込・排出アーム１８Ｌ，１８Ｒによってさらに自動的に排出することができる。
【００９７】
次に、蓋部３を閉める動作について説明する。図１１（ｂ），図１２（ｂ）に示す状態から蓋部３に閉じる力を加えると、スライダー１９Ｌ，１９Ｒは図示しないバネに抗してリアポジションＲＰからさらに微小量後退し、ピン３０Ｌ，３０Ｒがカム面７ａの保持部７ｃを外れ、誘導斜面７ｂに移動する。
【００９８】
ピン３０Ｌ，３０Ｒが誘導斜面７ｂに移動すると、スライダー１９Ｌ，１９Ｒを矢印ｇ１方向に移動させる図示しないバネの力でピン３０Ｌ，３０Ｒがそれぞれ誘導斜面７ｂの形状に沿って移動することで、蓋部３は強制的に閉まって行く。このように、蓋部３はスライダー１９Ｌ，１９Ｒを移動させる図示しないバネの力で閉まるものであり、スライダー１９Ｌ，１９Ｒは、蓋部３を強制的に閉め、かつ、蓋部３を閉めた状態保つ機能も併せ持つ。そして蓋部３が閉じた状態では、蓋部３はスライダー１９Ｌ，１９Ｒにより閉じる方向の力を受けることから、蓋部３が浮き上がることはない。
【００９９】
この蓋部３を閉めるとき、操作ノブ８はホームポジションＨＰに位置し、これにより、ロックレバー１０は図２に示す位置にある。そして、蓋部３を閉める動作でロックレバー１０の爪部１０ｄを図７に示すロック部２２ｂに引っ掛けるため、ロックレバー１０のみを矢印ｃ２方向に回転できるようにしてある。すなわち、リンク９のガイドピン９ｃが挿入されるガイド穴１０ｂは三角形状として、ロックレバー１０の矢印ｃ２方向への回転に自由度を持たせてある。これにより、蓋部３を閉めると本体部２側の爪部１０ｄが蓋部３側のロック部２２ｂに自動的に引っ掛かり、閉じた状態を保持できるようになる。
【０１００】
この蓋部３が閉まる過程で、ピン３０Ｌ，３０Ｒが誘導斜面７ｂの形状に沿って誘導されることで、スライダー１９Ｌ，１９ＲはリアポジションＲＰから図５に示すフロントポジションＦＰに移動する。
【０１０１】
スライダー１９Ｌ，１９ＲがリアポジションＲＰからフロントポジションＦＰに移動すると、スライダー１９Ｌの位置決め部３１Ｌの接触位置が取込・排出アーム１８Ｌの第２の位置決め部２８ｂから第１の位置決め部２８ａに移る。また、スライダー１９Ｒの位置決め部３１Ｒの接触位置が取込・排出アーム１８Ｒの第２の位置決め部２９ｂから第１の位置決め部２９ａに移る。これにより、取込・排出アーム１８Ｌ，１８Ｒは互いが離間する方向である矢印ｅ１および矢印ｆ１方向に移動するのでガイドローラ２６Ｌ，２６Ｒの間隔が広がる。よって、蓋部３を閉じる動作でガイドローラ２６Ｌ，２６Ｒを退避させ、ガイドローラ２６Ｌ，２６ＲとＣＤ５との接触を防ぐ。また、スライダー１９ＬがフロントポジションＦＰに移動すると、リンク３２は図１８に示す位置から軸３２ａを支点に矢印ｊ２方向に回転し、図５に示すように押圧部３２ｂは退避バネ３３の凸部３３ｂから退避した位置に移動する。
【０１０２】
これにより、図１９（ａ）および図２０（ａ）に示すように、退避バネ３３のクランパ押え部３３ａはクランパ２１とは接触しない。よって、蓋部３を閉めると、クランパ２１は傾斜することなく図３に示すターンテーブル１５の永久磁石１５ａに吸着され、クランパ２１はターンテーブル１５とともに回転することができる。
【０１０３】
また、ＣＤ５が挿入されている状態で蓋部３を閉めると、クランパ２１と図７に示すガイド部２３Ｌ，２３Ｒで位置決めされていたＣＤ５が、蓋部３を閉めることでクランパ２１等で押されてターンテーブル１５に乗る。そして、ターンテーブル１５とクランパ２１が永久磁石１５ａで吸着することで、ＣＤ５はターンテーブル１５とクランパ２１の間の挟まれた状態で、ターンテーブル１５に保持される。
【０１０４】
このように、蓋部３を閉める動作で、蓋部３側で保持しているＣＤ５を本体部２側のターンテーブル１５にセットすることができる。また。蓋部３を開けると、ターンテーブル１５で保持していたＣＤ５を蓋部３側で保持し、イジェクト可能な状態とすることができる。これにより、ターンテーブル１５にＣＤ５をセットする際、ターンテーブル１５を昇降させたり、本体部２内でＣＤ５を昇降させる必要がなく、情報処理装置１の厚みを押えることが可能となるものである。
【０１０５】
また、蓋部３の開く量は規制され、ＣＤ５の出し入れは、挿入・排出口６からＣＤ５を記録・読取面に対して略水平方向に移動させることで行え、かつ、ターンテーブル１５へのＣＤ５のセットは蓋部３の開閉で行えるので、ＣＤ５を出し入れする際の操作性が向上する。
【０１０６】
上述したように、蓋部３を閉めると、退避バネ３３のクランパ押え部３３ａはクランパ２１とは接触しない位置に退避している。また、蓋部３を閉じるときは、操作ノブ８は図２に示すホームポジションＨＰに位置していることで、図１６（ａ）に示すようにブレーキレバー１１はＣＤ５と接触しない位置にある。さらに、蓋部３を閉めると取込・排出アーム１８Ｌ，１８Ｒの位置をフロントポジションＦＰにあるスライダー１９Ｌ，１９Ｒで規制することで、ガイドローラ２６Ｌ，２６ＲがＣＤ５と接触しない位置に退避している。これにより、ターンテーブル１５によりＣＤ５を回転させることができる。
【０１０７】
次に制動アーム３４の動作を説明する。図２１は制動アーム３４の詳細を示す説明図で、図２１（ａ）は蓋部３の正面図、図２１（ｂ），（ｃ）は制動アーム３４の詳細および動作を示す説明図である。なお、図２１（ｂ），（ｃ）は開口部２５Ｒ側の制動アーム３４を示しているが、開口部２５Ｌ側は、図２１（ｂ），（ｃ）に示す制動アーム３４と対称形の制動アーム３４が同様に設けられている。
【０１０８】
制動アーム３４は、開口部２５Ｌ，２５Ｒのそれぞれ端部２５Ｌａ，２５Ｒａに、軸３４ａを支点に回転可能に取り付けられる。また、制動アーム３４には、ＣＤ５と接触する斜面部３４ｂが設けられる。制動アーム３４は、ねじりコイルバネ３５により斜面部３４ｂが開口部２５Ｌ，２５Ｒに露出する方向に回転する力を受けており、通常は、図２１（ａ），（ｂ）に示すように、斜面部３４ｂが開口部２５Ｌ，２５Ｒの端部２５Ｌａ，２５Ｒａにそれぞれ露出している。
【０１０９】
これに対して、ＣＤ５の挿入あるいは排出途中では、ＣＤ５の縁部の角が斜面部３４ｂを押し、制動アーム３４はねじりコイルバネ３５に抗して退避する。このとき、斜面部３４ｂがねじりコイルバネ３５の力でＣＤ５の縁部に斜め下方向から押し付けられているので、ＣＤ５との間に働くしゅう動摩擦がＣＤ５の挿抜の際の抵抗となる。
【０１１０】
ここで、制動アーム３４は斜面部３４ｂでＣＤ５と接触する構成とすることで、ＣＤ５の非データ記録部である縁部の角と接して抵抗となり、記録・読取面との間にしゅう動摩擦を起こさないようにしてある。
【０１１１】
また、制動アーム３４を開口部２５Ｌ，２５Ｒのそれぞれ端部２５Ｌａ，２５Ｒａに設けることで、ＣＤ５に制動を掛けるタイミングを制御している。図２２は制動アーム３４と取込・排出アーム１８Ｌ，１８Ｒの動作タイミングを示す説明図である。ＣＤ５が実線で示す位置、すなわちＣＤ５の直径位置Ｒが取込・排出アーム１８Ｌ，１８Ｒのガイドローラ２６Ｌ，２６Ｒと接する位置にあるとき、制動アーム３４がＣＤ５と接触し、かつ、ＣＤ５全体が二点鎖線で示すように蓋部３内に取り込まれる前の位置にあるとき、制動アーム３４がＣＤ５と接触しないような位置関係で制動アーム３４を設ける。これにより、ＣＤ５を取り込むときは、人手でＣＤ５全体を蓋部３内に押し込む前に、制動アーム３４による制動を受けることなく、取込・排出アーム１８Ｌ，１８ＲによりＣＤ５を取り込むことができる。
【０１１２】
これに対して、ＣＤ５を排出するときは、イジェクトアーム２０でＣＤ５を押し出したとき、ＣＤ５はその直径位置Ｒがガイドローラ２６Ｌ，２６Ｒを通過するが、このとき、制動アーム３４が図２１（ｃ）に示すようにＣＤ５の縁部に接触するので、取込・排出アーム１８Ｌ，１８ＲによるＣＤ５の排出に制動を掛けることができる。これにより、ＣＤ５をイジェクトする際の飛び出しを防止できる。
【０１１３】
このように、制動アーム３４を開口部２５Ｌ，２５Ｒのそれぞれ端部２５Ｌａ，２５Ｒａに設けることで、制動アーム３４を設ける位置を設定するだけで、特別な退避機構等を設けることなく、取込・排出アーム１８Ｌ，１８Ｒによる取込時には制動を掛けず、取込・排出アーム１８Ｌ，１８Ｒによる排出時のみ制動を掛けることが可能となる。
【０１１４】
図２３はガイドレバー１２および押し込みレバー１３の構成の詳細および動作を示す説明図である。図１（ｂ）に示すように、本体部２に対してＣＤ５を斜め上方から挿入するので、ＣＤ５の本体部２に対する挿入角度が付き過ぎると、ＣＤ５の挿入方向先端がターンテーブル１５に衝突する可能性がある。そこで、ガイド機構として本体部２にガイドレバー１２および押し込みレバー１３を設けてある。
【０１１５】
ガイドレバー１２は、略Ｌ字型の断面形状を有し、短辺側の端部が軸１２ｂを支点に筐体７に回転可能に取り付けられる。このガイドレバー１２の長辺側の端部にはローラ１２ａが取り付けられている。ここで、軸１２ｂおよびローラ１２ａの回転軸は、挿抜されるＣＤ５の記録・読取面に対して平行で、かつ、ＣＤ５の挿抜方向と直交する方向に延在している。また、ガイドレバー１２の短辺側には、この短辺の延在方向に沿ったカム穴３６が設けられる。
【０１１６】
押し込みレバー１３は、一方の端部側が軸１３ａを支点に筐体７に回転可能に取り付けられる。この押し込みレバー１３の他方の端部は自由端となっている。また、押し込みレバー１３の途中には側方に向けてピン１３ｂが突出しており、このピン１３ｂがガイドレバー１２のカム穴３６に挿入される。ここで、軸１３ａおよびピン１３ｂは、挿抜されるＣＤ５の記録・読取面に対して平行で、かつ、ＣＤ５の挿抜方向と直交する方向に延在している。
【０１１７】
そして、押し込みレバー１３の他方の端部が筐体７の正面側を向き、ガイドレバー１２のローラ１２ａが図２等に示すターンテーブル１５側を向くように筐体７内に取り付けられる。
【０１１８】
押し込みレバー１３はコイルバネ３７により上方に押し上げられる力を受けている。このコイルバネ３７が押し込みレバー１３を押し上げる力により、ピン１３ｂおよびカム穴３６を介してガイドレバー１２が押し上げられる。
【０１１９】
さて、押し込みレバー１３が軸１３ａを支点に押し上げられる方向に回転して行くと、ピン１３ｂがガイドレバー１２のカム穴３６の一方の端部に突き当たる。ガイドレバー１２の軸１２ｂと押し込みレバー１３の軸１３ａとの間隔は一定であるので、ピン１３ｂがカム穴３６の一方の端部に突き当たる位置までガイドレバー１２および押し込みレバー１３が押し上げられると、コイルバネ３７の力を受けても、これ以上はガイドレバー１２および押し込みレバー１３とも押し上げられることはない。このガイドレバー１２および押し込みレバー１３が上限まで押し上げられた状態を図２３（ａ）に示し、このときのガイドレバー１２および押し込みレバー１３の位置をガイド位置とする。
【０１２０】
ガイドレバー１２がガイド位置にあると、挿抜されるＣＤ５をローラ１２ａでガイドすることができ、本体部２に対して傾斜させて挿入されるＣＤ５の、本体部２に対する挿入角度が付き過ぎて、ＣＤ５の挿入方向先端が図２等に示すターンテーブル１５に衝突することを防ぐ。
【０１２１】
ガイドレバー１２がガイド位置にあるとき、押し込みレバー１３の軸１３ａを向いた第１のカム面３６ａがカム穴３６には形成されている。また、カム穴３６のこの第１のカム面３６ａと対向する側には斜面となっている第２のカム面３６ｂが形成されている。このカム穴３６の形状は、ガイドレバー１２の姿勢を保つ規制手段を構成する。
【０１２２】
ＣＤ５の挿抜等で、ガイドレバー１２を押し下げようとする力が加わると、ガイドレバー１２が軸１２ｂを支点に矢印ｋ方向に回転しようとするので、カム穴３６の第１のカム面３６ａがピン１３ｂを軸１３ａ方向である矢印ｍ方向に押す。
【０１２３】
さて、ピン１３ｂの移動可能方向は、押し込みレバー１３が軸１３ａを支点に回転することによる矢印ｎ方向である。このため、第１のカム面３６ａがピン１３ｂを押す力の方向である矢印ｍと、ピン１３ｂの移動可能方向である矢印ｎは鈍角で交差しているので、第１のカム面３６ａがピン１３ｂを押す力は押し込みレバー１３を回転させる力とならず、押し込みレバー１３は回転しない。
【０１２４】
これにより、ガイドレバー１２を押し下げようとする力が加わっても、カム穴３６とピン１３ｂで連結している押し込みレバー１３が回転しないので、ガイドレバー１２は回転することができず、ガイド位置を保持する。
【０１２５】
これに対して、蓋部３を閉めて行くと、アッパーフレーム２２が押し込みレバー１３の他方の端部を押す。さて、押し込みレバー１３が軸１３ａを支点に回転しようとすることによるピン１３ｂの移動方向は矢印ｎ方向である。ピン１３ｂの矢印ｎ方向への移動で、ピン１３ｂはカム穴３６の第２のカム面３６ｂを押すことになるが、このピン１３ｂが第２のカム面３６ｂを押す力は、ガイドレバー１２を回転させる力となる。
【０１２６】
これにより、押し込みレバー１３を押し下げる力が加わると、押し込みレバー１３の軸１３ａを支点とした矢印ｎ方向の回転に伴い、カム穴３６の形状に従ってガイドレバー１２が軸１２ｂを支点に矢印ｋ方向に下降する。
【０１２７】
そして、蓋部３を閉じると、アッパーフレーム２２で押し込みレバー１３を押し込むことで、図１０（ｂ）に示すようにガイドレバー１２および押し込みレバー１３は退避位置まで移動し、図２等に示すターンテーブル１５で保持されたＣＤ５にガイドレバー１２および押し込みレバー１３が接触することを防ぐ。
【０１２８】
ここで、押し込みレバー１３が押されることでガイドレバー１２を下降させる際、ピン１３ｂが斜面となっている第２のカム面３６ｂをまず押すことで、押し込みレバー１３の下降量に対してガイドレバー１２の下降量が多くなる機構となっている。これにより、蓋部３を閉める過程で、ガイドレバー１２が初期段階で大きく退避することで、蓋部３とともに下降してくるＣＤ５とローラ１２ａとの接触を防ぐ。
【０１２９】
なお、蓋部３を開けると、アッパーフレーム２２が押し込みレバー１３を押える力が無くなるので、コイルバネ３７により押し込みレバー１３が押し上げられる。退避位置にある押し込みレバー１３を押し上げようとすると、ピン１３ｂがカム穴３６の第２のカム面３６ｂと対向する斜面である第３のカム面３６ｃを押す。これにより、ガイドレバー１２にこれを押し上げる力が加わり、コイルバネ３７により押し込みレバー１３とともにガイドレバー１２がガイド位置まで押し上げられる。
【０１３０】
図２４はガイド機構の他の実施例を示すアッパーフレーム３８の斜視図である。アッパーフレーム３８は、図７に示すアッパーフレーム２２と同様に、ＣＤ５を保持するガイド部２３Ｌ，２３Ｒ，蓋部３を持ち上げるための突起部２４Ｌ，２４Ｒ，ガイドローラ２６Ｌ，２６Ｒが入る穴部２７、クランパ２１を保持する取付穴２２ａが設けられる。
【０１３１】
そして、このアッパーフレーム３８にはＣＤ５の挿入・排出口３９が設けられるとともに、この挿入・排出口３９から連続してガイド機構としてガイド板３８ａが設けられる。このガイド板３８ａは、挿入・排出口３９の下部を奥方に延長したものである。
【０１３２】
図２５はガイド板３８ａの動作を示す説明図で、このアッパーフレーム３８が組み込まれた情報処理装置１′のＣＤ５の挿入時の動作を説明する。蓋部３を開けると、蓋部３に設けられるアッパーフレーム３８で構成される挿入・排出口３９が現れる。ＣＤ５は本体部２に対して斜め上方から挿入されるが、挿入・排出口３９の下部を延長してガイド板３８ａが設けてあるので、ＣＤ５はこのガイド板３８ａにガイドされて挿入される。これにより、ＣＤ５の本体部２に対する挿入角度が付き過ぎることはなく、ＣＤ５の挿入方向先端がターンテーブル１５に衝突することはない。
【０１３３】
このように、アッパーフレーム３８にガイド機構としてガイド板３８ａを一体に設けた場合は、可動部品を用いることなくＣＤ５の挿抜時のガイドが行える。また、図２３に用いるガイドレバー１２と押し込みレバー１３をガイド機構として備えた場合は、アッパーフレーム２２の形状を単純にできることから、強度を増すことができるとともに、本体部２にガイド板３８ａを回避するスペースが不要となることから、設計の自由度が増す。
【０１３４】
次に本発明の情報処理装置の他の実施の形態を説明する。図２６は他の実施の形態の情報処理装置４０を示す説明図で、図２６（ａ）は平面図、図２６（ｂ）は側断面図である。なお、この図２６では、取込・排出手段と姿勢規制手段の変形例を示す。
【０１３５】
取込・排出手段としての取込・排出アーム４１Ｌ，４１Ｒは、蓋部４２を構成するアッパーフレーム４３に軸４１ａを支点に回転可能に取り付けられる。各取込・排出アーム４１Ｌ，４１Ｒの下面には、垂直方向に延在する軸を持つガイドローラ４４Ｌ，４４Ｒが設けられる。
【０１３６】
さて、取込・排出アーム４１Ｌは軸４１ａを支点に矢印ｐ１および矢印ｐ２方向に回転可能で、取込・排出アーム４１Ｒは軸４１ａを支点に矢印ｑ１および矢印ｑ２方向に回転可能であり、ガイドローラ４４Ｌ，４４Ｒの間隔は接近あるいは離間する。なお、取込・排出アーム４１Ｌは、付勢手段である図示しないバネにより矢印ｐ１方向に回転する力を受け、取込・排出アーム４１Ｒは、図示しないバネにより矢印ｑ１方向に回転する力を受けており、ガイドローラ４４Ｌとガイドローラ４４Ｒが接近する方向の力を受けている。
【０１３７】
姿勢規制手段としてのスライダー４５は、アッパーフレーム４３にスライド移動可能に取り付けられる。このスライダー４５の両側は折り曲げられ、それぞれカム面４５ａが形成されている。また、スライダー４５は図１に示すＣＤ５の挿抜方向に沿った矢印ｒ１および矢印ｒ２方向に移動可能で、図示しない付勢手段としてのバネにより取込・排出アーム４１Ｌ，４１Ｒが設けられる側と反対方向である矢印ｒ１方向に移動する力を受けている。
【０１３８】
スライダー４５にはクランパ２１を傾斜させるクランパ押え部４５ｂが設けられる。また、スライダー４５には取込・排出アーム４１Ｌと当接する押圧部４５Ｌおよび取込・排出アーム４１Ｒと当接する押圧部４５Ｒが設けられる。
【０１３９】
図２７はスライダー４５とクランパ２１の関係を示す説明図で、図２７（ａ）は蓋部４２を閉じた状態、図２７（ｂ）は蓋部４２を開けた状態を示す。クランパ２１は図２６に示すアッパーフレーム４３に取り付けたＵ字形状の溝を持つ支持部材４３ａに軸２１ａを挿入してフランジ部２１ｂを引っ掛けることで、回転自在に取り付けられる。また、スライダー４５のクランパ押え部４５ｂはフランジ部２１ｂと対向配置される斜面を有し、クランパ２１の移動を規制している。
【０１４０】
図２６に戻り、本体部４６の対向する両内側部には、スライダー４５のカム面４５ａと接触するピン４７がそれぞれ設けられる。このピン４７にカム面４５ａが当接することで、スライダー４５の位置が規制される。
【０１４１】
そして、本体部４６に対して蓋部４２はヒンジ部４２ａを支点に開閉可能であり、蓋部４２を開閉することで、ピン４７によってカム面４５ａの形状に従いスライダー４５が移動する。
【０１４２】
なお、この情報処理装置４０では、蓋部４２の開閉手段としては、図示しないが、例えば蓋部４２を開く方向に付勢する手段、蓋部４２を閉状態でロックする手段、ロックを解除する手段、蓋部４２の開く量を規制する手段を設ける。
【０１４３】
図２８は蓋部４２を開けた状態を示す説明図で、以下に蓋部４２の開閉動作について説明する。なお、図２８（ａ）は平面図、図２８（ｂ）は側断面図である。
【０１４４】
蓋部４２を開けていくと、蓋部４２側のスライダー４５のカム面４５ａと、本体部４６側のピン４７の接触箇所は変化する。そして、カム面４５ａが図示しないバネによりピン４７に押し付けられているので、蓋部４２を開けていくと、このカム面４５ａの斜面の形状によって、スライダー４５は矢印ｒ１方向に移動する。
【０１４５】
これにより、スライダー４５は取込・排出アーム４１Ｌ，４１Ｒから離れる方向に移動するが、取込・排出アーム４１Ｌは図示しないバネで矢印Ｐ１方向に回転する力を受け、取込・排出アーム４１Ｒは矢印ｑ１方向に回転する力を受けているので、スライダー４５の矢印ｒ１方向の移動に伴って、取込・排出アーム４１Ｌは矢印ｐ１方向に回転し、取込・排出アーム４１Ｒは矢印ｑ１方向に回転する。これにより、ガイドローラ４４Ｌとガイドローラ４４Ｒの間隔は狭くなる。
【０１４６】
また、スライダー４５が矢印ｒ１方向に移動すると、図２７（ｂ）に示すように、クランパ押え部４５ｂの斜面がクランパ２１のフランジ部２１ｂを押す。これにより、クランパ押え部４５ｂでフランジ部２１ｂを押し上げる力が加わり、クランパ２１は図２８に示す挿入・排出口６側が持ち上がる方向に傾斜する。
【０１４７】
このように、蓋部４２を開けることで、ガイドローラ４４Ｌとガイドローラ４４Ｒの間隔が狭くなるので、取込・排出アーム４１Ｌ，４１Ｒによって、ＣＤ５をクランパ２１で保持できる位置まで確実に取り込むことができる。
また、クランパ２１は挿入・排出口６側が持ち上がる方向に傾斜しているので、ＣＤ５を挿入する際、その先端がクランパ２１に衝突することを防ぐことができる。
【０１４８】
蓋部４２を閉めて行くと、ピン４７がカム面４５ａを押すことで、スライダー４５は矢印ｒ２方向に移動する。これにより、スライダー４５の押圧部４５Ｌが取込・排出アーム４１Ｌを押して軸４１ａを支点に矢印Ｐ２方向に回転させるとともに、スライダー４５の押圧部４５Ｒが取込・排出アーム４１Ｒを押して軸４１ａ支点に矢印ｑ２方向に回転させる。これにより、ガイドローラ４４Ｌとガイドローラ４４Ｒの間隔は広くなる。
【０１４９】
また、スライダー４５が矢印ｒ２方向に移動すると、クランパ押え部４５ｂがクランパ２１のフランジ部２１ｂから離れる。これにより、図２７（ａ）に示すように、クランパ２１は自在な姿勢を取ることができる。
【０１５０】
このように、蓋部４２を閉じることで、ガイドローラ４４Ｌとガイドローラ４４Ｒの間隔が広くなるので、図示しないターンテーブルにセットされたＣＤ５とガイドローラ４４Ｌ，４４Ｒの接触を防ぐことができる。
【０１５１】
また、クランパ２１は自在な姿勢を取ることができるので、図示しないターンテーブルとの間にＣＤ５を挟持することでＣＤ５をターンテーブルにセットし、回転することができる。
【０１５２】
上述した各実施の形態の情報処理装置は、ポータブルＣＤプレーヤーを例に説明したが、本発明は、ポータブルＣＤプレーヤーの他、可搬型のＣＤ−ＲＯＭドライブ装置等、ディスク状の記録媒体を用いる情報処理装置に適用可能である。
【０１５３】
【発明の効果】
以上説明したように、本発明は、ディスク形状の記録媒体がセットされ、情報の処理を行う情報処理装置において、記録媒体を回転させるターンテーブルを少なくとも備えた本体部と、本体部に対して開閉可能に取り付けられ、記録媒体の挿入・排出口が設けられると共に、記録媒体を保持し、記録媒体の挿入経路を形成し得るガイド部が設けられたフレームを有する蓋部と、ターンテーブルの位置に合わせて蓋部のフレームに回転可能に取り付けられ、記録媒体の中心に嵌って位置を規制するクランプ部を有し、蓋部を閉じた際、ターンテーブルとの間に記録媒体を挟持する回転可能な記録媒体保持手段と、蓋部の開く量を規制して、該蓋部の開閉を行う開閉手段と、蓋部を開くことで挿入・排出口が露呈すると、ガイド部にガイドされて挿入経路を挿入される記録媒体の挿入方向奥側のクランプ部が記録媒体の中心に嵌る位置で、記録媒体保持手段の挿入・排出口と対向する側が記録媒体の挿入経路から退避する方向に、記録媒体保持手段を傾斜させる姿勢規制手段とを備えたものである。
【０１５４】
これにより、記録媒体を挿入・排出口から挿入する際、記録媒体の挿入方向先端が記録媒体保持手段と衝突することがなく、記録媒体に傷を付ける等の障害の発生を防ぐことができる。そして、蓋部側で記録媒体を保持し、蓋部の開閉で記録媒体をターンテーブルにセットできるので、装置を薄型にできる。
【図面の簡単な説明】
【図１】本実施の形態の情報処理装置の側断面図である。
【図２】本体部の内部構成を示す平面図である。
【図３】本体部の内部構成を示す斜視図である。
【図４】カム面の詳細を示す破断斜視図である。
【図５】蓋部の内部構成を示す平面図である。
【図６】蓋部の内部構成を示す斜視図である。
【図７】アッパーフレームの斜視図である。
【図８】クランパの保持構造の詳細を示す説明図である。
【図９】蓋部の開閉と操作ノブの動作を示す説明図である。
【図１０】蓋部の開閉とロックレバーの動作を示す説明図である。
【図１１】蓋部の開閉とスライダーの動作を示す説明図である。
【図１２】蓋部の開閉とスライダーの動作を示す説明図である。
【図１３】操作ノブが持ち上げ開始ポジションにあるときの状態を示す平面図である。
【図１４】操作ノブが持ち上げ終了ポジションにあるときの状態を示す平面図である。
【図１５】操作ノブがイジェクト終了ポジションにあるときの状態を示す平面図である。
【図１６】ブレーキレバーの動作を示す平面図である。
【図１７】ブレーキレバーの動作を示す平面図である。
【図１８】開いた蓋部の状態を示す平面図である。
【図１９】クランパの動作を示す説明図である。
【図２０】クランパの動作を示す説明図である。
【図２１】制動アームの詳細を示す説明図である。
【図２２】制動アームと取込・排出アームの動作タイミングを示す説明図である。
【図２３】ガイドレバーおよび押し込みレバーの構成の詳細および動作を示す説明図である。
【図２４】ガイド機構の他の実施例を示すアッパーフレームの斜視図である。
【図２５】ガイド板の動作を示す説明図である。
【図２６】他の実施の形態の情報処理装置を示す説明図である。
【図２７】スライダーとクランパの関係を示す説明図である。
【図２８】蓋部を開けた状態を示す説明図である。
【符号の説明】
１・・・情報処理装置
２・・・本体部
３・・・蓋部
４・・・ヒンジ部
５・・・ＣＤ
６・・・挿入・排出口
７・・・筐体
７ａ・・・カム面
７ｂ・・・誘導斜面
７ｃ・・・保持部
８・・・操作ノブ
８ａ・・・カム面
８ｂ・・・突起部
８ｃ・・・スライド面
９・・・リンク
９ａ・・・軸
９ｂ・・・ピン
９ｃ・・・ガイドピン
９ｄ・・・カム穴
１０・・・ロックレバー
１０ａ・・・軸
１０ｂ・・・ガイド穴
１０ｃ・・・突起部
１０ｄ・・・爪部
１０ｅ・・・開口部
１１・・・ブレーキレバー
１１ａ・・・軸
１１ｂ・・・ガイドピン
１１ｃ・・・パッド
１２・・・ガイドレバー
１２ａ・・・ローラ
１２ｂ・・・軸
１３・・・押し込みレバー
１３ａ・・・軸
１３ｂ・・・ピン
１４・・・ドライブユニット
１５・・・ターンテーブル
１５ａ・・・永久磁石
１６・・・ピックアップ
１７・・・筐体
１８Ｌ，１８Ｒ・・・取込・排出アーム
１９Ｌ，１９Ｒ・・・スライダー
２０・・・イジェクトアーム
２０ａ・・・軸
２０ｂ・・・押し出し部
２０ｃ・・・伝達ピン
２１・・・クランパ
２１ａ・・・軸
２１ｂ・・・フランジ部
２１ｃ・・・クランプ部
２２・・・アッパーフレーム
２２ａ・・・取付穴
２２ｂ・・・ロック部
２３Ｌ，２３Ｒ・・・ガイド部
２４Ｌ，２４Ｒ・・・突起部
２５Ｌ，２５Ｒ・・・開口部
２６Ｌ，２６Ｒ・・・ガイドローラ
２７・・・穴
２８ａ・・・第１の位置決め部
２８ｂ・・・第２の位置決め部
２９ａ・・・第１の位置決め部
２９ｂ・・・第２の位置決め部
３０Ｌ，３０Ｒ・・・ピン
３１Ｌ，３１Ｒ・・・位置決め部
３２・・・リンク
３２ａ・・・軸
３２ｂ・・・押圧部
３２ｃ・・・ピン
３３・・・退避バネ
３３ａ・・・クランパ押え部
３３ｂ・・・凸部
３４・・・制動アーム
３４ａ・・・軸
３５・・・ねじりコイルバネ
３６・・・カム穴
３６ａ・・・第１のカム面
３６ｂ・・・第２のカム面
３６ｃ・・・第３のカム面
３７・・・コイルバネ
３８・・・アッパーフレーム
３８ａ・・・ガイド板
３９・・・挿入・排出口
４０・・・情報処理装置
４１Ｌ，４１Ｒ・・・取込・排出アーム
４１ａ・・・軸
４２・・・蓋部
４２ａ・・・ヒンジ部
４３・・・アッパーフレーム
４３ａ・・・支持部材
４４Ｌ，４４Ｒ・・・ガイドローラ
４５・・・スライダー
４５ａ・・・カム面
４５ｂ・・・クランパ押え部
４５Ｌ，４５Ｒ・・・凹圧部
４６・・・本体部
４７・・・ピン
【図１】
0003891021.tif 000002
【図２】
0003891021.tif 000003
【図３】
0003891021.tif 000004
【図４】
0003891021.tif 000005
【図５】
0003891021.tif 000006
【図６】
0003891021.tif 000007
【図７】
0003891021.tif 000008
【図８】
0003891021.tif 000009
【図９】
0003891021.tif 000010
【図１０】
0003891021.tif 000011
【図１１】
0003891021.tif 000012
【図１２】
0003891021.tif 000013
【図１３】
0003891021.tif 000014
【図１４】
0003891021.tif 000015
【図１５】
0003891021.tif 000016
【図１６】
0003891021.tif 000017
【図１７】
0003891021.tif 000018
【図１８】
0003891021.tif 000019
【図１９】
0003891021.tif 000020
【図２０】
0003891021.tif 000021
【図２１】
0003891021.tif 000022
【図２２】
0003891021.tif 000023
【図２３】
0003891021.tif 000024
【図２４】
0003891021.tif 000025
【図２５】
0003891021.tif 000026
【図２６】
0003891021.tif 000027
【図２７】
0003891021.tif 000028
【図２８】
0003891021.tif 000029